(57)【要約】【課題】少ない消費電力で自己の落下を検出可能な簡単な構成の携帯端末装置を提供する。【解決手段】この携帯端末装置は、第１の筐体と第２の筐体と、第１の筐体と第２の筐体を回動自在に連結する連結部とからなる携帯端末装置において、第１の筐体に設けられている磁石１２と、第２の筐体に設けられ、第１の筐体及び第２の筐体が閉じられた場合に磁石１２の近傍に配置され、磁場の大きさを検出してアナログ方式で出力するホール素子１４と、ホール素子１４から出力された磁場の大きさを検出する検出部１８と、検出部１８は、第１の筐体と第２の筐体の開閉状態を検出し、さらに、第１の筐体と第２の筐体が閉じられている場合において、自己が落下したことを検出し、検出部１８で検出された落下情報を記憶する記憶部２２と、を有する。【選択図】図２
2008066795.tif 000002
【特許請求の範囲】
【請求項１】
第１の筐体と第２の筐体と、
前記第１の筐体と前記第２の筐体を回動自在に連結する連結部とからなる携帯端末装置において、
前記第１の筐体に設けられている磁石と、
前記第２の筐体に設けられ、前記第１の筐体及び第２の筐体が閉じられた場合に前記磁石の近傍に配置され、磁場の大きさを検出してアナログ方式で出力するホール素子と、
前記ホール素子から出力された磁場の大きさを検出する検出部と、
前記検出部は、前記第１の筐体と前記第２の筐体の開閉状態を検出し、さらに、前記第１の筐体と前記第２の筐体が閉じられている場合において、自己が落下したことを検出し、
前記検出部で検出された落下情報を記憶する記憶部と、
を具備することを特徴とする携帯端末装置。
【請求項２】
前記検出部は、前記ホール素子から出力された磁場の大きさの変化量に基づいて、前記落下したことを検出することを特徴とする請求項１に記載の携帯端末装置。
【請求項３】
前記検出部は、前記ホール素子から出力された磁場の大きさが所定の閾値を超えたことを検出し、
この携帯端末装置は、前記ホール素子から出力された磁場の大きさが所定の閾値を超えたことが前記検出部によって検出された場合に警告を発する警告部をさらに具備する、
ことを特徴とする請求項１及び請求項２に記載の携帯端末装置。
【発明の詳細な説明】
【技術分野】
【０００１】
本発明は、携帯電話機やＰＤＡ（Ｐｅｒｓｏｎａｌ  Ｄｉｇｉｔａｌ  Ａｓｓｉｓｔａｎｔ）等の携帯端末装置に関する。
【背景技術】
【０００２】
従来、携帯端末装置として、例えば、折畳式携帯端末装置が用いられている。このような折畳式携帯端末装置では、第１の筐体と第２の筐体とが、連結部によって回動自在に連結され、開閉自在となっている。第１の筐体と第２の筐体との開閉に応じて、第１の筐体の磁石と第２の筐体のホール素子とが離間、接近され、ホール素子によって磁石による磁場の大きさが検出される。このホール素子で検出される磁場の大きさが高低２つの値のいずれの値であるかを判別することにより、第１の筐体と第２の筐体との開閉検出を行うことが可能である。
【０００３】
また、特許文献１には、自己の落下を検出して記憶する携帯電話機が開示されている。即ち、特許文献１の携帯電話機では、電話機本体に圧電素子等の衝撃検知器を設けている。そして、電話機本体に落下等により衝撃が加わると、衝撃検知器によって衝撃の大きさに応じた検知信号が出力される。この検知信号は比較器において設定値と比較され、検知信号が設定値よりも大きい場合には、割り込みコントローラが作動し、ＣＰＵに割り込みを発生させて、衝撃があったことをメモリに記憶させる。
【特許文献１】特開平１１−２２５１８８号公報
【発明の開示】
【発明が解決しようとする課題】
【０００４】
上述した従来の折畳式携帯端末装置に、特許文献１のような落下検出機能を付与した場合には、自己の落下を検出するために、第１の筐体と第２の筐体との開閉検出に用いる磁石及びホール素子に加えて、圧電素子等の衝撃検知器を用いる必要があり、装置の大型化、構成の複雑化及び消費電力の増大を招来している。
【０００５】
本発明は、上記課題に着目してなされたもので、その目的とするところは、装置を大型化することなく、少ない消費電力で自己の落下を検出可能な簡単な構成の携帯端末装置を提供することである。
【課題を解決するための手段】
【０００６】
本発明の第１実施態様の携帯端末装置は、第１の筐体と第２の筐体と、前記第１の筐体と前記第２の筐体を回動自在に連結する連結部とからなる携帯端末装置において、前記第１の筐体に設けられている磁石と、前記第２の筐体に設けられ、前記第１の筐体及び第２の筐体が閉じられた場合に前記磁石の近傍に配置され、磁場の大きさを検出してアナログ方式で出力するホール素子と、前記ホール素子から出力された磁場の大きさを検出する検出部と、前記検出部は、前記第１の筐体と前記第２の筐体の開閉状態を検出し、さらに、前記第１の筐体と前記第２の筐体が閉じられている場合において、自己が落下したことを検出し、前記検出部で検出された落下情報を記憶する記憶部と、を具備することを特徴とする。
【０００７】
本発明の第２実施態様の携帯端末装置は、第１実施態様の携帯端末装置において、前記検出部が、前記ホール素子から出力された磁場の大きさの変化量に基づいて、前記落下したことを検出することを特徴とする。
【０００８】
本発明の第３実施態様の携帯端末装置は、第１及び第２の実施態様の携帯端末装置において、前記検出部が、前記ホール素子から出力された磁場の大きさが所定の閾値を超えたことを検出し、この携帯端末装置は、前記ホール素子から出力された磁場の大きさが所定の閾値を超えたことが前記検出部によって検出された場合に警告を発する警告部をさらに具備する、ことを特徴とする。
【発明の効果】
【０００９】
本発明の第１実施態様の携帯端末装置では、第１及び第２の筐体の開閉を検出するために従来用いられ、通常起動されている磁石とホール素子とにより、自己の落下も検出することができ、装置を大型化することなく、また簡単な構成で消費電力を増大することなく自己の落下を検出することが可能となっている。
【００１０】
本発明の第２実施態様の携帯端末装置では、ホール素子から出力された磁場の大きさの変化量に基づいて、自己が落下したことを検出することが可能となっている。
【００１１】
本発明の第３実施態様の携帯端末装置では、外部から強力な磁場が作用した場合に警告を発してユーザに告知しており、携帯端末装置に強力な磁場が作用しないように注意を払う必要が少なく、携帯端末装置に内蔵されたハードディスクが外部からの強力な磁場によって故障することが防止されている。
【発明を実施するための最良の形態】
【００１２】
以下、本発明の一実施形態を図１乃至図５を参照して説明する。
【００１３】
図１を参照し、本実施形態の携帯端末装置は、第１の筐体１０ａと第２の筐体１０ｂとを有する。これら第１の筐体１０ａと第２の筐体１０ｂとは、連結部１１によって回動自在に連結され、開閉自在となっている。第１の筐体１０ａには磁石１２が配設されており、第２の筐体１０ｂにはホール素子１４が配設されている。これら磁石１２とホール素子１４とは、第１の筐体１０ａと第２の筐体１０ｂとが閉じられた場合に、互いに近接するように配置されている。なお、第１の筐体１０ａには表示部１６が配設されている。
【００１４】
図１及び図２を参照し、ホール素子１４は、第１の筐体１０ａの磁石１２からの磁場を含む外部からの磁場の大きさを検出し、アナログ方式で検出部１８へと出力する。検出部１８では、磁場の大きさに基いて各種の検出を行う。
【００１５】
図１乃至図３を参照し、検出部１８では、第１の筐体１０ａと第２の筐体１０ｂとの開閉検出を行う。即ち、第１の筐体１０ａと第２の筐体１０ｂとが開かれている場合には、第１の筐体１０ａの磁石１２は第２の筐体１０ｂのホール素子１４から充分に離間して配置されており、ホール素子１４で検出される磁場の大きさは低いレベルの一定値Ｌとなる。そして、第１の筐体１０ａと第２の筐体１０ｂとが閉じられている場合には、第１の筐体１０ａの磁石１２が第２の筐体１０ｂのホール素子１４の近傍に配置され、ホール素子１４で検出される磁場の大きさは、第１の筐体１０ａの磁石１２の磁場の大きさに対応した高いレベルの一定値Ｈとなる。検出部１８では、磁場の大きさがＬ近傍とＨ近傍とのいずれかであるかを判別し、第１の筐体１０ａと第２の筐体１０ｂとの開閉を検出する。この検出結果に基いて、制御部２０により、表示部１６の起動／停止等、開閉に伴う各種制御が行われる。
【００１６】
図１、図２及び図４を参照し、検出部１８では、携帯端末装置について自己の落下検出を行う。即ち、第１の筐体１０ａと第２の筐体１０ｂとが閉じられた状態で自己が落下されて衝撃を受けると、第１の筐体１０ａは第２の筐体１０ｂに対して短時間で比較的激しく揺らされることとなる。即ち、第１の筐体１０ａの磁石１２が、第２の筐体１０ｂのホール素子１４に対して短時間で比較的激しく揺らされる。このため、ホール素子１４で検出される磁場の大きさは、高いレベルの一定値Ｈを基準として、短時間で比較的激しく揺動することとなる。検出部１８では、磁場が短時間で比較的激しく揺動した場合には、これを落下として検出する。この検出結果は、記憶部２２へと出力され、記憶部２２において落下回数が積算される。なお、記憶部２２において、衝撃の大きさに対応する磁場の揺動の大きさ等も併せて記憶するようにしてもよい。
【００１７】
図１、図２及び図５を参照し、検出部１８では、外部からの強力な磁場を検出する。即ち、ホール素子１４は、第１の筐体１０ａの磁石１２からの磁場以外の外部からの磁場も検出するようになっている。そして、ホール素子１４で検出される磁場の大きさが、高レベルの一定値Ｈ以上の所定の閾値Ｓを超えた場合には、検出部１８により、強力な磁場が携帯端末装置に作用していることが検出される。この検出結果に基いて、制御部２０により警告部２４が制御されて、表示部１６の点滅、アラーム等の警告がユーザへと告知される。
【００１８】
従って、本実施形態の携帯端末装置は次の効果を奏する。
【００１９】
携帯端末装置に内蔵されているハードディスクは衝撃に弱いため、携帯端末装置に強い衝撃を与えないよう、取扱説明書等でユーザに通知しているが、ユーザが誤って携帯端末装置を落としてしまう場合がある。本実施形態の携帯端末装置では、第１の筐体１０ａと第２の筐体１０ｂの開閉を検出するために従来用いられ、通常起動されている磁石１２とホール素子１４とにより、自己の落下も検出することができ、簡単な構成で消費電力を増大することなく自己の落下を検出することが可能となっている。特に、落下検出に加速度センサを追加で用いる場合と比較して、消費電力を充分に少なくすることが可能となっており、消費電力に対してシビアな携帯端末装置に最適な検出方法となっている。
【００２０】
また、携帯端末装置に内蔵されているハードディスクは強力な磁場に弱いため、携帯端末装置に強力な磁石を近づけない等、携帯端末装置に強力な磁場を作用させないよう、取扱説明書等でユーザに通知している。このため、ユーザは携帯端末装置を持ち運ぶ際に磁場に対して細心の注意を払う必要があり、また、強力な磁石が視認できない場所にある場合等、ユーザが磁場を認知できない場合には、携帯端末装置に強力な磁場が作用して、携帯端末装置のハードディスクが故障してしまうおそれがある。本実施形態の携帯端末装置では、外部から強力な磁場が作用した場合に警告を発してユーザに告知しており、携帯端末装置に強力な磁場が作用しないように注意を払う必要が少なく、また、携帯端末装置に内蔵されたハードディスクが外部からの強力な磁場によって故障することが防止されている。
【００２１】
このように、本発明では、従来、デジタル方式で出力を行い、第１の筐体１０ａと第２の筐体１０ｂとの開閉検出にのみ用いられていたホール素子１４を、アナログ方式で出力を行うようにして、落下検出、外部からの強力な磁場の検出等の様々な用途に用いるようにしている。
【００２２】
なお、前記実施形態では第１の筐体１０ａには磁石１２が配設されており、第２の筐体１０ｂにはホール素子１４が配設されている場合を例にとって説明したが、第１の筐体１０ａにホール素子１４が配設されており、第２の筐体１０ｂに磁石１２が配設されている場合にもこの発明は適用可能である。その他、携帯端末装置の種類や構成、制御手順及び制御内容等についても、この発明の要旨を逸脱しない範囲で種々変形して実施できる。
【００２３】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２４】
【図１】本発明の一実施形態の携帯端末装置を示す概略図。
【図２】本発明の一実施形態の携帯端末装置を示すブロック図。
【図３】本発明の一実施形態の携帯端末装置における第１の筐体と第２の筐体との開閉検出を説明するための図。
【図４】本発明の一実施形態の携帯端末装置における自己の落下検出を説明するための図。
【図５】本発明の一実施形態の携帯端末装置における外部からの強力な磁場の検出を説明するための図。
【符号の説明】
【００２５】
１０ａ…第１の筐体、１０ｂ…第２の筐体、１１…連結部、１２…磁石、１４…ホール素子、１８…検出部、２２…記憶部。
【図１】
2008066795.tif 000003
【図２】
2008066795.tif 000004
【図３】
2008066795.tif 000005
【図４】
2008066795.tif 000006
【図５】
2008066795.tif 000007